(57)【要約】      （修正有）【課題】小曲率の立体部位の縫製の作業効率を向上する筒型ミシンのオープナー装置の提供。【解決手段】筒型ミシンのオープナー装置は、釜軸の回転中心が座標原点とされ、オープナー取り付け台１７の第２象限、第３象限部分に設置された二叉部１７ａ及び調節盤の軸等の構造が、第４象限に変更設置され、これにより、筒型ミシンの水平釜を具えたオープナー装置が小曲率の立体縫製を実行する。【選択図】図１１
0003104037.tif 000002
【実用新案登録請求の範囲】
【請求項１】
針棒機構、布送り機構を具えてベッド上に固定されたミシンヘッドと、ベッド上に固定されると共に水平釜機構と布送り機構を具えた釜台で組成され、該ミシンヘッドの各機構と釜台の各機構が同期に運転する筒型ミシンのオープナー装置において、
釜台の一側の針板を固定する針板座が設けられ、
偏心ピンの軸部が該針板座に枢設されて自由に回転し、並びにネジでその位置が固定及び調整され、
釜軸が釜台の中央部に取り付けられ、上端に偏心カムが接続され、且つ水平釜がその上に固定され、
オープナー取り付け台が偏心カムと水平釜の間に取り付けられて、該オープナー取り付け台と一体に接続された二叉部が偏心ピンの軸と接続され、別端にネジでボビンケースの三角突起部と接触するオープナーが固定され、
冠状銅歯が釜台座の中央の釜軸に固定され、垂直方向に布送り歯と噛み合い、
釜蓋が針板の別側面に設けられ、水平釜を外部より覆うことを特徴とする、筒型ミシンのオープナー装置。
【考案の詳細な説明】
【技術分野】
【０００１】
本考案は一種の筒型ミシンのオープナー装置に係り、特に、縫製物の前進方向に対して垂直な方向に開閉する釜蓋が水平釜の外周に接近でき、靴、財布等の曲率の小さい物品の縫製に便利である筒型ミシンのオープナー装置に関する。
【背景技術】
【０００２】
図１は周知の筒型ミシンの外観図である。図２、３はオープナー装置を具えた釜台の周知の機構の断面組合せ図である。図４、５は釜台の周知の機構の平面図である。図６はオープナー装置の周知の機構の立体分解図である。
【０００３】
ミシンヘッド１は、針棒機構、布送り機構を具えてベッド６上に固定される。釜台７はベッド６上に固定され、上面に水平釜機構と布送り機構を具え、ミシンヘッドの各機構と釜台７の各機構は同期に運転する。
【０００４】
水平釜１２は釜軸１１に固定され、釜軸１１は軸１９の中心に結合され、それを自由に回転させ、軸１９に図示されてない軸受が取り付けられて釜台７上で自由に回転し、並びに針板８上面より突出する布送り歯９と噛み合う冠状銅歯２０を具えている。オープナー１７は釜軸１１に取り付けられた偏心カム１１ａと接続され、且つその二叉部１７ａが釜台７に取り付けられた調節盤１８上端の軸１８ａと接続され、釜軸１１の回転によりオープナー取り付け台が揺動し、その上にオープナー１６が固定されている。
【０００５】
オープナー取り付け台１７の二叉部１７ａとこれに接続された軸１８ａは図３の釜軸１１軸心を中心とする座標で表現すると、第２、第３象限に位置し、水平釜１２の外周部分より突出する。軸１８ａに取り付けられた調節盤１８はその腕部中央部分にスリット１８ｃを具え、該スリット１８ｃがネジで１８ｂで回転可能な方式でオープナー取り付け台１７に固定される。釜蓋１０はオープナー取り付け台１７と調節盤１８の外側に取り付けられる。
【０００６】
続いて動作を説明する。図示される駆動用モータの回転はプーリ５に伝えられ、図示されていない下軸により釜台７に取り付けられた釜軸１１を回転させると共に、釜軸１１に固定された偏心カム１１ａを回転させ、これによりオープナー取り付け台１７の楕円運動に変換し、並びに軸１８ａと二叉部１７ａが接続される。オープナー取り付け台１７に固定されたオープナー１６が、運動をボビンケース１３の三角突起部１４に伝え、上糸の通過を容易とするため、針板８に取り付けられたリブ８ａ、８ｂが適時に大釜止１５と接触してギャップを保有する。このギャップの量は釜台７の筒部７ａを中心とし、調節盤１８に螺合されたネジ１８ｂを緩め、調節盤１８を回転させ位置を変更させる。
【０００７】
立体物の縫製は釜台７上面の針板８、釜蓋１０の幅と長さ、対角線長さにより大きさが決定される。周知の技術は、曲率の小さい立体部分を縫製する時、作業効率が明らかに下がる。
【考案の開示】
【考案が解決しようとする課題】
【０００８】
本考案は筒型ミシンのオープナー装置を提供して上述の従来の技術の問題を解決し、小曲率の立体部位の縫製の作業効率を上げることを目的としている。
【課題を解決するための手段】
【０００９】
請求項１の考案は、針棒機構、布送り機構を具えてベッド上に固定されたミシンヘッドと、ベッド上に固定されると共に水平釜機構と布送り機構を具えた釜台で組成され、該ミシンヘッドの各機構と釜台の各機構が同期に運転する筒型ミシンのオープナー装置において、
釜台の一側の針板を固定する針板座が設けられ、
偏心ピンの軸部が該針板座に枢設されて自由に回転し、並びにネジでその位置が固定及び調整され、
釜軸が釜台の中央部に取り付けられ、上端に偏心カムが接続され、且つ水平釜がその上に固定され、
オープナー取り付け台が偏心カムと水平釜の間に取り付けられて、偏心カムと一体に接続された二叉部が釜軸軸心を中心とする座標の第４象限内に取り付けられ、該二叉部が並びに偏心ピンの軸と接続され、別端にネジでボビンケースの三角突起部と接触するオープナーが固定され、
冠状銅歯が釜台座の中央の釜軸に固定され、垂直方向に布送り歯と噛み合い、
釜蓋が針板の針孔との距離を縮小するために設計されて、針板の外側面を水平釜の側辺に接近させることを特徴とする、筒型ミシンのオープナー装置としている。
【考案の効果】
【００１０】
本考案の筒型ミシンのオープナー装置は曲率の小さい立体縫製の操作性能と作業性能を高めることができる。
【考案を実施するための最良の形態】
【００１１】
図７、８は本考案の実施例の釜台の平面図である。図９、図１０は本考案のオープナー装置の機構の正面断面組合せ図である。図１１は本考案の実施例の立体分解図である。
【００１２】
針板座２１は、図示されていないネジで釜台７に固定され、上面に図示されていないネジで針板８が固定される。
【００１３】
偏心ピン２２の軸部２２ａは針板座２１に枢設され自由に回転し、並びにネジ２２ｃでその位置が固定及び調整される。釜軸１１は釜台７の中央部分に取り付けられ、図示されていない軸受で支持され自由に回転し、上端に偏心カム１１ａが接続されている。
【００１４】
オープナー取り付け台１７は、偏心カム１１ａと水平釜１２の間に取り付けられ、並びに偏心カム１１ａと接続され、図５の第２、３象限内の二叉部（１７ａ）から図８に示されるように、第４象限内に取り付けられるように改められて軸２２ｂと接続される。もう一端に、ネジ１６ａで、ボビンケース１３の三角突起部１４と接触するオープナー１６が取り付けられる。
【００１５】
冠状銅歯２０は、釜台７中央に固定された釜軸に固定され、垂直方向に布送り歯９とかみ合う。釜蓋１０は、針孔８ｃとの距離をできるだけ縮小するために取り付けられ、針板８の外側面を釜の側辺に接近させる。
【００１６】
続いて動作を説明する。図示されていない下軸の回転が、下軸にあって釜軸下端に接続された歯車により釜軸１１を回転させ、上端の水平釜１２をこれに伴い回転させ、水平釜１２内部に取り付けられたボビンケース１３は大釜止１５と針板リブ８ａ、８ｂ間の接触制動により、糸の通過する間隙を保持する。
【００１７】
釜軸１１に固定された偏心カム１１ａの回転、及びオープナー取り付け台１７の二叉部１７ａと軸２２ｂの接続により、オープナー１６が楕円運動を保持する。楕円運動が最左側に至ると、該オープナー１６がボビンケース１３の三角突起部１４と接触し、それが最右側に至るとき、針板８上のリブ８ａ、８ｂの間でボビンケース１３上の大釜止１５と接触し、これによりオープナー１６とボビンケースの三角突起部１４がミシン糸の通過できる間隙を保持させられる。
【００１８】
軸部２２ａに固定されたネジ２２ｃを緩め、軸部２２ａを中心として軸２２ｂを回転させる時、オープナー取り付け台１７は偏心カム１１ａを中心として水平面内で位置を変更し、これにより針板上に位置するリブ８ａ、８ｂとボビンケースより突出する大釜止１５の間隙を変更できる。
【００１９】
以上により本考案はオープナーの機構を変更するだけで、釜の形状により、布送り方向と垂直を呈する方向に取り付けられた釜蓋の辺縁と針孔との距離を最小範囲に保持することができ、曲率の小さい財布、靴等の立体部分の縫製作業に便利とされている。
【図面の簡単な説明】
【００２０】
【図１】周知の筒型ミシンの外観図である。
【図２】オープナー装置を具えた釜台の周知の機構の断面組合せ図である。
【図３】オープナー装置を具えた釜台の周知の機構の断面組合せ図である。
【図４】釜台の周知の機構の平面図である。
【図５】釜台の周知の機構の平面図である。
【図６】オープナー装置の周知の機構の立体分解図である。
【図７】本考案の実施例の釜台の平面図である。
【図８】本考案の実施例の釜台の平面図である。
【図９】本考案のオープナー装置の機構の正面断面組合せ図である。
【図１０】本考案のオープナー装置の機構の正面断面組合せ図である。
【図１１】本考案の実施例の立体分解図である。
【符号の説明】
【００２１】
１  ミシンヘッド                        ５  プーリ
６  ベッド                              ７  釜台
８  針板                                ９  布送り歯
１０  釜蓋                              １１  釜軸
１２  水平釜                            １３  ボビンケース
１４  三角突起部                        １５  大釜止
１６  オープナー                        １７  オープナー取り付け台
１８  調節盤                            １９  軸
２０  冠状銅歯                          ２１  針板座
２２  偏心ピン                          ８ａ、８ｂ  リブ
８ｃ  針孔                              １１ａ  偏心カム
１６ａ、１８ｂ、２２ｃ  ネジ            １７ａ  二叉部
１８ａ、２２ｂ  軸                      １８ｃ  スリット
２２ａ  軸部
【図１】
0003104037.tif 000003
【図２】
0003104037.tif 000004
【図３】
0003104037.tif 000005
【図４】
0003104037.tif 000006
【図５】
0003104037.tif 000007
【図６】
0003104037.tif 000008
【図７】
0003104037.tif 000009
【図８】
0003104037.tif 000010
【図９】
0003104037.tif 000011
【図１０】
0003104037.tif 000012
【図１１】
0003104037.tif 000013